(57)【要約】【課題】ワーク受金の中央または内部に切屑除去装置を設けることにより、テーブル上の切屑を確実に除去できるブローチ盤切屑除去装置を提供する。【解決手段】切屑除去装置は受金に下方内部の開口部に設けられた軸受の内輪に回転自在に支持されブローチの外周部に遊挿すると共に、該ブローチの外周部の円周方向に複数個設けられたブラシ固定治具を設けている。ブラシ固定治具には先端がブローチの外周部に接触するように設けられ、該ブローチの直径方向に移動可能に設けられたブラシを設けている。ブラシ固定治具は、ブローチの外周部に遊挿して設けられた第１のプーリーと、受金に取り付けられた減速機付モータと、モータの出力軸に取り付けられベルト介して前記第１のプーリーに連結された第２のプーリーと、を備える。【選択図】図３
2011173217.tif 000002
【特許請求の範囲】
【請求項１】
外周に切屑が設けられ、軸線方向に移動する間にワークを加工するブローチと、前記ブローチが通過する穴が形成され、前記ブローチにより加工するワークが載置される取付座を形成した受金とをブローチ盤に付設され、ブローチ加工時に前記切屑に付着する切屑を除去する切屑除去装置において、
前記切屑除去装置は、前記受金に下方内部の開口部に設けられた軸受と、
前記軸受の内輪に回転自在に支持され前記ブローチの外周部に遊挿すると共に、該ブローチの外周部の円周方向に複数個設けられたブラシ固定治具と、
前記ブラシ固定治具に取り付けられ先端が前記ブローチの外周部に接触するように設けられ、該ブローチの直径方向に移動可能に設けられたブラシと、
前記ブラシ固定治具に一体に形成され前記ブローチの外周部に遊挿して設けられた第１のプーリーと、
前記受金に取り付けられた減速機付モータと、
前記の減速機付モータの出力軸に取り付けられベルト介して前記第１のプーリーに連結された第２のプーリーと、を備え、
前記ブラシは前記ブローチに軸線方向に対して傾けて設けられていることを特徴とするブローチ盤切屑除去装置。
【発明の詳細な説明】
【技術分野】
【０００１】
本発明は、ブローチ加工において、ブローチに付着した切屑を除去するためのブローチ盤切屑除去装置に関する。
【背景技術】
【０００２】
従来、この種のブローチ盤切屑除去装置においては、ブローチの中心に対し同心円上に三カ所に設けたブラシユニットをブローチの周囲に配設し、前記ブラシユニットを半径方向に往復動させて切屑を除去するブラシ回転手段を備えている（例えば、特許文献１参照。）。
【先行技術文献】
【特許文献】
【０００３】
【特許文献１】特開２００５−２１１９９１号公報
【発明の概要】
【発明が解決しようとする課題】
【０００４】
しかしながら、特許文献１に記載されているブローチ盤切屑除去装置においては、ブラシユニットが一定の大きさを有するためにブローチ盤のテーブルにワークを取り付けるワーク受金を設けている。
このため、ブローチ盤より除去した切屑が前記ワーク受金の上に付着するので、ブローチ盤にワークを取り付ける際に必要に応じて切屑を除去しなければならないという問題があった。
また、切屑がテーブル及び治具の上面に飛散するため、切屑の回収が困難になりブローチ盤全体が汚れるという問題があった。
さらに、ワーク払いだし装置を取り付ける際に、ブラシユニットが邪魔になって取り付けられないという問題があった。
【０００５】
そこで、ブラシを用いた切屑除去装置においては、エアー等の流体を用いた除去方法に比べ、直接、切屑を振り落とすため最も切屑を除去し易い方法であると考えられるが、切屑が直接ブラシに触れるため該ブラシの摩耗が問題となる。
また、切屑除去装置においては、ブラシの摩耗対策として、例えばブラシをテーブルにて正回転と逆回転とに往復回動させることにより該ブラシの寿命を長くする方法を採用しているが、ブラシの寿命を十分に確保することが出来ないという問題があった。
本発明は係る課題を解決するためになされたもので、ワーク受金の中央または内部に
切屑除去装置を設けることにより、テーブル上の切屑を確実に除去できるブローチ盤切屑除去装置を提供することを目的とする。
【課題を解決するための手段】
【０００６】
前記の課題を解決するため請求項１記載の発明は、外周に切屑が設けられ、軸線方向に移動する間にワークを加工するブローチと、前記ブローチが通過する穴が形成され、前記ブローチにより加工するワークが載置される取付座を形成した受金とをブローチ盤に付設され、ブローチ加工時に前記切屑に付着する切屑を除去する切屑除去装置において、
前記切屑除去装置は、前記受金の下方内部に形成した開口部に設けられた軸受と、
前記軸受の内輪に回転自在に支持され前記ブローチの外周部に遊挿すると共に、該ブローチの外周部の円周方向に複数個設けられたブラシ固定治具と、
前記ブラシ固定治具に取り付けられ先端が前記ブローチの外周部に接触するように設けられて該ブローチの直径方向に移動可能に設けられたブラシと、
前記ブラシ固定治具に取り付けられ前記ブローチの外周部に遊挿して設けた第１のプーリーと、
前記受金に取り付けられた減速機付モータと、
前記のモータの出力軸に取り付けられベルト介して前記第１のプーリーに連結された第２のプーリーと、を備え、
前記ブラシは前記ブローチの軸線方向に対して傾けて設けられていることを特徴とする。
【発明の効果】
【０００７】
本発明は、切屑除去装置は、受金内部に切屑除去装置を設けることにより、新たなスペースを必要とせずその為、受金を交換するだけで、切屑除去が行えることができ、ブラシの交換がし易くなった。
また、ワーク払い出し装置も簡単に取り付けることが可能で、切屑除去装置を取り付ける際に、ワーク払い出し装置との干渉がないのでは保守点検等の管理が容易である。
【図面の簡単な説明】
【０００８】
【図１】本発明の実施の形態に係るブローチ盤の概略構造図を示す正面図である。
【図２】図１の右側面図である。
【図３】切屑除去装置の概略構造図である。
【図４】図３のＩＩＩ−ＩＩＩ線の断面図である。
【図５】ブローチの軸心方向に対してブラシを傾けた状態を示す模写図である。
【発明を実施するための形態】
【０００９】
本発明の実施の形態に係るブローチ盤１０について図面により詳細に説明する。図１は本発明の実施の形態に係る切屑除去装置１８を取り付けるブローチ盤１０の概略構造を示す縦断面図を示し、図２は図１の右側面図を示す。
図１においてブローチ盤１０は、矩形状のコラム１１の下部の内部にブローチ１２を着脱自在に支持するプルヘッド１３が設けられている。ブローチ１２の軸心方向の上部（図１で上方）には、コラム１１にテーブル１４が取り付けられており、該テーブル１４にワーク１５をセットする受金１６が固定されている。
【００１０】
さらに、受金１６には、ワーク１５を払い出しするワーク払い出し装置１７及びブローチ１２の加工より切屑を該ブローチ１２から除去する切屑除去装置１８が取り付けられている。
また、ワーク払い出し装置１７及び切屑除去装置１８の上方には、コラム１１の上部に固定されたスタンド１９にブローチ１２を上方に持ち上げるシリンダ機構を備えた引き上げ装置２０が設けられている。
【００１１】
図３は切屑除去装置１８の概略構造を示す縦断面図で、図３中、図１及び図２の構成と同一の構成要素については同一符号を付して詳細な説明を省略する。
図３により切屑除去装置１８について説明する。テーブル１４には円筒形の台座２１がボルト２４により固定されている。台座２１には内周面の上下方向に一対の軸受２２、２３が装着されており、該軸受２２、２３の内輪にはブラシ２７を固定する円筒形のブラシ固定治具２５がブローチ１２に外方に回転自在に支持されている。
【００１２】
図４に示すように、ブラシ固定治具２５は円周方向に均等に複数個、例えば４個配設されたブラシホルダ２６と、該ブラシホルダ２６に所定の束により嵌挿されたブラシ２７と、該ブラシ２７をブラシホルダ２６に固定する押しねじ２８、とを備える。
ブラシ２７はブローチ１２の外周の外方に位置し、その先端はブローチ１２の外周に接触して該ブローチ１２に外周に付着する切屑（図示しない）を除去する。
【００１３】
図５に示すようにブラシ２７はブローチ１２の軸心に対して、傾けて設けている。ブラシ２７はナイロン等の素材を使用しており、ブローチ１２に傷をつけないものが望ましく、該ブラシ２７は長さが約１８ｍｍのナイロン製の毛を幅３ｍｍ×３０ｍｍに束ねて一つのブラシとして使用する。これにより、ブローチ１２の軸心方向の移動と共に、ブラシ固定治具２５が回転するとブローチ１２の溝にブラシ２７の毛が入りやすくなり、ブラシ２７の毛が逃げ易い方向に曲がり、摩耗が抑えることができ、切屑がブラシ２７によりブローチ１２の刃部から容易に取り除かれるようになる。
【００１４】
台座２１の上に位置する円筒形の受金１６は、ボルト２９により台座２１に固定されている。受金１６の中央に形成された穴３０には、ブローチ１２が遊挿されている。また、受金１６の内側は下方に開口する開口部３１が形成されており、該開口部３１には、ブラシ固定治具２５の上部に固定されるフランジ３２と、該フランジ３２に固定されただ第１のプーリー３３が内設されている。参照符号３４はブラシ固定治具２５の下部に取り付けられたフタである。
【００１５】
参照符号３５は減速機付モータを示すもので、受金１６に取り付けられたブラケット３６に固定されている。減速機付モータ３５の回転軸には、第２のプーリー３７が取り付けられている。第１及び第２のプーリー、３３及び３７にはベルト３８が巻装されている。
【００１６】
本発明の実施の形態に係る切屑除去装置１０は基本的には以上のように構成されており、次に動作及び作用効果について説明する。
ブローチ１２をプルヘッド１３に装着してワーク１５を加工すると、切屑（図示しない）は受金１６の穴３０から該受金１６の真下に落下するので、切屑は受金１６の上面に付着することはない。
さらに、ブローチ１２の切刃部に付着した切屑はブローチ１２の中心に対し同心円上に配置されたブラシ２７がブローチ１２の円周方向に移動することにより切屑がブローチ１２の外周から除去される。
【００１７】
これは、通常、引き抜き方向から除去する場合に比べ、円周方向からブラシを当てることにより、切屑が落としやすいだけでなく、ブローチの刃の影響を受け難く寿命が長くなるという利点がある。
本発明の切屑除去装置は、受金内部に切屑除去装置を組み込んだ構造になっているため、従来の受金を交換するだけで、簡単に切屑除去が行える。
【符号の説明】
【００１８】
１０  ブローチ盤                      １１  コラム
１２  ブローチ                        １３  プルヘッド
１４  テーブル                        １５  ワーク
１６  受金                            １７  ワーク払い出し装置
１８  切屑除去装置                    ２１  台座
２２、２３  軸受                      ２５  ブラシ固定治具
３０  穴                              ３１  開口部
３２  フランジ                        ３３、３７  プーリー
３５  モータ                          ３８  ベルト
【図１】
2011173217.tif 000003
【図２】
2011173217.tif 000004
【図３】
2011173217.tif 000005
【図４】
2011173217.tif 000006
【図５】
2011173217.tif 000007